(57)【要約】      （修正有）【課題】質量分析を用いて体液試料中のジヒドロテストステロン（ＤＨＴ）の量を決定する方法を提供する。【解決手段】体液試料から固相抽出（ＳＰＥ）により精製された非誘導体化ＤＨＴを、質量分析で検出可能な１種または複数のイオンを生成するのに適切な条件下で、イオン化し、ここで、前記イオンは、質量／電荷比２９１．１０±０．５０、２５５．２０±０．５０および７９．２０±０．５０のイオンからなる群より選択される１種または複数のイオンを含む。該１種または複数のイオンの量を質量分析により決定し、決定された量を用いて、体液試料中の非誘導体化ＤＨＴの量を計算する。【選択図】図１
2015143699.tif 000002
【特許請求の範囲】
【請求項１】
体液試料中の非誘導体化ジヒドロテストステロン（ＤＨＴ）の量を決定する方法であって、
ａ．体液試料から固相抽出（ＳＰＥ）により精製された非誘導体化ＤＨＴを、質量分析で検出可能な１種または複数のイオンを生成するのに適切な条件下で、イオン化し、ここで、前記イオンは、質量／電荷比２９１．１０±０．５０、２５５．２０±０．５０および７９．２０±０．５０のイオンからなる群より選択される１種または複数のイオンを含み、そして
ｂ．１種または複数のイオンの量を質量分析により決定し、決定された量を用いて、体液試料中の非誘導体化ＤＨＴの量を計算する、
の各工程を含む方法。
【請求項２】
前記質量分析がタンデム質量分析である、請求項１に記載の方法。
【請求項３】
前記イオン化が、質量／電荷比２９１．１０±０．５０の前駆イオンを生成し、質量／電荷比２５５．２０±０．５０および７９．２０±０．５０のイオンからなる群より選択される１種または複数のフラグメントイオンを生成することを含む、請求項１から２のいずれか一項に記載の方法。
【請求項４】
前記のＳＰＥおよび質量分析が、オンライン方式で行われる、請求項１から３のいずれか一項に記載の方法。
【請求項５】
前記ＳＰＥが、高乱流液体クロマトグラフィー（ＨＴＬＣ）として行われる、請求項１から４のいずれか一項に記載の方法。
【請求項６】
前記精製が、高速液体クロマトグラフィー（ＨＰＬＣ）による精製を更に含む、請求項１から５のいずれか一項に記載の方法。
【請求項７】
前記ＳＰＥおよび前記ＨＰＬＣが、試料のオンライン処理用に接続されている、請求項６に記載の方法。
【請求項８】
前記体液試料が血漿または血清である、請求項１から７のいずれか一項に記載の方法。
【請求項９】
５．０ｎｇ／ｄＬ以上２００ｎｇ／ｄＬ以下の範囲内に定量限界を有する、請求項１から８のいずれか一項に記載の方法。
【請求項１０】
質量分析で決定される１種または複数のイオンの量が、内部標準との比較により、試験試料中の非誘導体化ＤＨＴの有無または量と関連付けられる、請求項１から９のいずれか一項に記載の方法。
【請求項１１】
内部標準が、１６，１６，１７−ｄ３ジヒドロテストステロンを含む、請求項１０に記載の方法。
【請求項１２】
試験試料中の非誘導体化ジヒドロテストステロン（ＤＨＴ）の量を質量分析により決定する方法であって、
ａ．試験試料から高乱流液体クロマトグラフィー（ＨＴＬＣ）により精製された非誘導体化ＤＨＴを、質量分析で検出可能な１種または複数のイオンを生成するのに適切な条件下で、イオン化し、そして
ｂ．１種または複数のイオンの量を質量分析により決定し、決定された量を用いて、試験
試料中の非誘導体化ＤＨＴの量を計算する、
の各工程を含む方法。
【請求項１３】
前記質量分析がタンデム質量分析である、請求項１２に記載の方法。
【請求項１４】
前記精製が、高速液体クロマトグラフィー（ＨＰＬＣ）による精製を更に含む、請求項１２または１３のいずれか一項に記載の方法。
【請求項１５】
前記ＨＴＬＣおよび前記ＨＰＬＣが、オンライン処理用に構成されている、請求項１２から１４のいずれか一項に記載の方法。
【請求項１６】
前記試験試料が体液試料である、請求項１２から１５のいずれか一項に記載の方法。
【請求項１７】
前記試験試料が血漿または血清である、請求項１２から１６のいずれか一項に記載の方法。
【請求項１８】
質量分析で検出可能な１種または複数のイオンが、質量／電荷比２９１．１０±０．５０、２５５．２０±０．５０および７９．２０±０．５０のイオンからなる群より選択される１種または複数のイオンを含む、請求項１２から１７のいずれか一項に記載の方法。
【請求項１９】
前記イオン化が、質量／電荷比２９１．１０±０．５０の前駆イオン、ならびに質量／電荷比２５５．２０±０．５０および７９．２０±０．５０のイオンからなる群より選択される、１種または複数のフラグメントイオンを生成することを含む、請求項１２から１８のいずれか一項に記載の方法。
【請求項２０】
５．０ｎｇ／ｄＬ以上２００ｎｇ／ｄＬ以下の範囲内に定量限界を有する、請求項１２から１９のいずれか一項に記載の方法。
【請求項２１】
質量分析で検出される１種または複数のイオンの量が、内部標準との比較により、試験試料中の非誘導体化ＤＨＴの有無または量と関連付けられる、請求項１２から２０のいずれか一項に記載の方法。
【請求項２２】
内部標準が、１６，１６，１７−ｄ３ジヒドロテストステロンを含む、請求項２１に記載の方法。
【請求項２３】
体液試料中の非誘導体化ジヒドロテストステロン（ＤＨＴ）の量をタンデム質量分析により決定する方法であって、
ａ．体液試料から高乱流液体クロマトグラフィー（ＨＴＬＣ）により精製された非誘導体化ＤＨＴの、質量／電荷比２９１．１０±０．５０を有する前駆イオンを生成し、
ｂ．前駆前駆イオンの１種または複数のフラグメントイオンを生成し、ここで、前記１種または複数のフラグメントイオンの少なくとも１種は、質量／電荷比２５５．２０±０．５０および７９．２０±０．５０のイオンの群から選択されるフラグメントイオンを含み、そして
ｃ．ステップ（ｂ）もしくは（ｃ）またはその両方で生成した前記イオンの１種または複数の量を決定し、決定された量を用いて、前記体液試料中の非誘導体化ＤＨＴの量を計算する、
の各工程を含む方法。
【請求項２４】
前記精製が、高速液体クロマトグラフィー（ＨＰＬＣ）による精製を更に含む、請求項２３に記載の方法。
【請求項２５】
前記ＨＴＬＣおよび前記ＨＰＬＣが、オンライン処理用に構成されている、請求項２４に記載の方法。
【請求項２６】
前記体液試料が血漿または血清である、請求項２３から２５のいずれか一項に記載の方法。
【請求項２７】
５．０ｎｇ／ｄＬ以上２００ｎｇ／ｄＬ以下の範囲内に定量限界を有する、請求項２３から２６のいずれか一項に記載の方法。
【請求項２８】
質量分析により決定される１種または複数のイオンの量が、内部標準との比較により、試験試料中の非誘導体化ＤＨＴの有無または量と関連付けられる、請求項２３から２７のいずれか一項に記載の方法。
【請求項２９】
内部標準が、１６，１６，１７−ｄ３ジヒドロテストステロンを含む、請求項２８に記載の方法。
【発明の詳細な説明】
【技術分野】
【０００１】
関連する特許出願との交互参照
本出願は、２００８年１１月１７日に出願された米国出願第１２／２７２６６３号に基づく優先権を主張し、２００８年１０月６日に出願された米国仮出願第６１／１０３２０２号に基づく利益を主張しており、その各々の全体は、参照により本明細書に組み込まれる。
【０００２】
本発明は、ジヒドロテストステロン（ＤＨＴ）の検出に関する。特定の態様では、本発明は、質量分析によりジヒドロテストステロン（ＤＨＴ）を検出する方法に関する。
【背景技術】
【０００３】
本発明の背景に関する以下の説明は、本発明を理解する上での単なる一助として提供されており、本発明に対する先行技術を説明または構成すると認めるものではない。
【０００４】
ジヒドロテストステロン（ＤＨＴ）［（１７β−ヒドロキシ−５ａ−アンドロスタン−３−オン）］は、分子量２９０．４ダルトンのステロイドホルモンである。ＤＨＴは、末梢組織によりテストステロンから合成される効力あるアンドロゲンである。過剰のＤＨＴ分泌は、テストステロンへの転換を介して座瘡、多毛および男性化を生じる恐れがある。ＤＨＴは、前立腺肥大の病因であり、血中測定を用いて、テストステロンのＤＨＴ転換阻害剤に対する服薬順守および応答を評価することができる。
【０００５】
試料中のＤＨＴを測定する質量分析法は、これまでに報告されている。例えば、Chang,
Y., et al., Analyst 2003, 128:363-8; Caruso, D., et al., Neurochem Int 2008, 52:560-8; Wang, C., et al., Steroids 2008, XXX: XXX-XXX (doi: 10.1016/j.steroids.2008.05.004); Zhao, M., et al., Steroids 2004, 69: 721-6; Janzen, N., et al., J Chroma B 2008, 861: 117-22; Licca-Perez, H., et al., Steroids 2008, 73: 601-10; Kashiwagi, B., et al., J Andrology 2005, 26: 586-91; Kashiwagi, B., et al., Urology 2005, 66: 218-23; Umera, M., et al., Cancer Sci 2007, 99: 81-86 およびMohler
他、米国特許出願第１１／９７３１２７号（２００７年１０月８日出願）を参照されたい。
【発明の概要】
【課題を解決するための手段】
【０００６】
本発明は、タンデム質量分析を含めた質量分析により、試料中のジヒドロテストステロン（ＤＨＴ）の量を検出する方法を提供する。好ましくは、本発明の方法は、質量分析の前に試料中のＤＨＴを誘導体化することを含まない。
【０００７】
一態様では、体液試料中の非誘導体化ジヒドロテストステロン（ＤＨＴ）の量を決定する方法が提供される。この態様の方法は、（ａ）体液試料中のＤＨＴを固相抽出により精製するステップ、（ｂ）体液試料からＤＨＴをイオン化し、質量分析で検出可能な１種または複数のＤＨＴイオンを生成するステップであって、生成イオンが、質量電荷比２９１．１０±０．５０のＤＨＴ前駆イオンと、２５５．２０±０．５０および７９．２０±０．５０からなる群より選択される１種または複数のＤＨＴフラグメントイオンとからなる群から選択されるステップ、ならびに（ｃ）１種または複数のＤＨＴイオンの量を質量分析により決定するステップを含む。１種または複数のＤＨＴイオンの量を測定した後、ＤＨＴイオン（複数可）の量を用いて、試験試料中の非誘導体化ＤＨＴの量を計算する。幾つかの実施形態では、該質量分析はタンデム質量分析である。幾つかの実施形態では、固
相抽出および質量分光分析が、オンライン方式で行われる。幾つかの実施形態では、固相抽出が、高乱流液体クロマトグラフィー（ＨＴＬＣ）として行われる。幾つかの実施形態では、該方法は、質量分析の前に、好ましくはオンライン処理による高速液体クロマトグラフィー（ＨＰＬＣ）を用いて、体液試料中のＤＨＴを精製するステップを更に含む。幾つかの実施形態では、体液試料が血漿または血清である。幾つかの実施形態では、該方法は、５ｎｇ／ｄＬ以上２００ｎｇ／ｄＬ以下の範囲内に定量限界を有する。幾つかの実施形態では、質量分析で検出した１種または複数のＤＨＴイオン（複数可）の量を用いて、内部標準、好ましくは１６，１６，１７−ｄ３ジヒドロテストステロンとの比較により、試験試料中の非誘導体化ＤＨＴの量を計算する。上記列挙した実施形態の特徴は、本発明の方法で使用するために、制限なしに組み合わせてもよい。
【０００８】
第２の態様では、試験試料中の非誘導体化ジヒドロテストステロン（ＤＨＴ）の量を質量分析により決定する方法が提供される。この態様の方法は、（ａ）試験試料中のＤＨＴを高乱流液体クロマトグラフィー（ＨＴＬＣ）を用いて精製するステップ、（ｂ）試験試料からＤＨＴをイオン化し、質量分析で検出可能な１種または複数のＤＨＴイオンを生成するステップ、および（ｃ）１種または複数のＤＨＴイオンの量を質量分析により検出するステップを含む。こうした方法では、測定したＤＨＴイオン（複数可）の量を用いて、試験試料中のＤＨＴ量を計算する。幾つかの実施形態では、該質量分析はタンデム質量分析である。幾つかの実施形態では、試験試料中のＤＨＴの精製は、好ましくはオンライン処理用に構成された、高速液体クロマトグラフィー（ＨＰＬＣ）を用いた精製を含む。幾つかの実施形態では、試験試料が、体液試料、好ましくは血漿または血清である。幾つかの実施形態では、質量分析で検出可能なＤＨＴイオンは、質量／電荷比２９１．１０±０．５０、２５５．２０±０．５０および７９．２０±０．５０のイオンからなる群から選択される１種または複数のイオンを含む。幾つかの実施形態では、ＤＨＴをイオン化するステップは、質量／電荷比２９１．１０±０．５０の前駆イオンの生成と、質量／電荷比２５５．２０±０．５０および７９．２０±０．５０のイオンからなる群より選択される１種または複数のフラグメントイオンの生成とを含む。幾つかの実施形態では、該方法は、５．０ｎｇ／ｄＬ以上２００ｎｇ／ｄＬ以下の範囲内に定量限界を有する。幾つかの実施形態では、質量分析で検出した１種または複数のＤＨＴイオン（複数可）の量を用いて、内部標準、好ましくは１６，１６，１７−ｄ３ジヒドロテストステロンとの比較により、試験試料中の非誘導体化ＤＨＴの量を決定する。上記列挙した実施形態の特徴は、本発明の方法で使用するために、制限なしに組み合わせてもよい。
【０００９】
第３の態様では、体液試料中の非誘導体化ジヒドロテストステロン（ＤＨＴ）の量をタンデム質量分析により決定する方法が提供される。この態様の方法は、（ａ）体液試料からＤＨＴを高乱流液体クロマトグラフィー（ＨＴＬＣ）により精製するステップ、（ｂ）質量／電荷比２９１．１０±０．５０の前記ＤＨＴの前駆イオンを生成するステップ、（ｃ）前駆イオンの１種または複数のフラグメントイオンを生成するステップであって、前記１種または複数のフラグメントイオンの少なくとも１種が、質量／電荷比２５５．２０±０．５０および７９．２０±０．５０のフラグメントイオンの群から選択されるフラグメントイオンを含むステップ、ならびに（ｄ）ステップ（ｂ）もしくは（ｃ）または両ステップで生成した前記イオンの１種または複数の量を検出するステップを含む。検出したイオンの量を用いて、体液試料中の非誘導体化ＤＨＴの量を計算する。幾つかの実施形態では、試験試料からのＤＨＴの精製は、好ましくはオンライン処理用に構成された、高速液体クロマトグラフィー（ＨＰＬＣ）を更に含む。幾つかの実施形態では、体液試料が血漿または血清である。幾つかの実施形態では、該方法は、５．０ｎｇ／ｄＬ以上２００ｎｇ／ｄＬ以下の範囲内に定量限界を有する。幾つかの実施形態では、質量分析で検出した１種または複数のＤＨＴイオン（複数可）の量を用いて、内部標準、好ましくは１６，１６，１７−ｄ３ジヒドロテストステロンとの比較により、試験試料中の非誘導体化ＤＨＴの量を計算する。上記列挙した実施形態の特徴は、本発明の方法で使用するために、制限
なしに組み合わせてもよい。
【００１０】
本発明の方法は、液体クロマトグラフィーと質量分析との組合せを含む。好ましい実施形態では、液体クロマトグラフィーはＨＰＬＣである。好ましい一実施形態は、ＨＰＬＣを単独で、または試料中のＤＨＴを精製するために、例えばＨＴＬＣおよび／またはタンパク質の沈殿とろ過などの１種または複数の精製法と組み合わせて利用する。好ましい別の実施形態では、質量分析はタンデム質量分析（ＭＳ／ＭＳ）てある。
【００１１】
本明細書に開示される方法のある種の好ましい実施形態では、質量分析が正イオンモードで行われる。代替として、質量分析が負イオンモードで行われる。本発明の実施形態では、例えば大気圧化学イオン化（ＡＰＣＩ）またはエレクトロスプレーイオン化（ＥＳＩ）を含め、各種のイオン化源を使用し得る。ある種の好ましい実施形態では、ＤＨＴが、正イオンモードのＡＰＣＩを用いて測定される。
【００１２】
好ましい実施形態では、質量分析計で検出可能なＤＨＴイオンは、質量／電荷比（ｍ／ｚ）２９１．１０±０．５０、２５５．２０±０．５０および７９．２０±０．５０の正イオンからなる群から選択される。特定の好ましい実施形態では、ＤＨＴ前駆イオンは、ｍ／ｚ２９１．１０±０．５０を有し、１種または複数のフラグメントイオンは、ｍ／ｚ２５５．２０±０．５０および７９．２０±０．５０のイオンからなる群から選択される。
【００１３】
好ましい実施形態では、別個に検出可能な内部標準を試料中に加え、試料中のその量も測定する。これらの実施形態では、試料中に存在する内因性ＤＨＴ、内部標準双方の全部または一部をイオン化して、質量分析計で検出可能な複数のイオンを生成し、各々から生成した１種または複数のイオンを質量分析により検出する。
【００１４】
好ましい内部標準は、１６，１６，１７−ｄ３ジヒドロテストステロン（１６，１６，１７−ｄ３ＤＨＴ）である。好ましい実施形態では、質量分析計で検出可能な内部標準イオンは、ｍ／ｚ２９４．１０±０．５０および２５８．２０±０．５０の正イオンからなる群から選択される。特定の好ましい実施形態では、内部標準前駆イオンは、ｍ／ｚ２９４．１０±０．５０を有し、内部標準フラグメントイオンは、ｍ／ｚ２５８．２０±０．５０を有する。
【００１５】
好ましい実施形態では、ＤＨＴイオンの存在または量は、１６，１６，１７−ｄ３ジヒドロテストステロンなどの基準物質との比較により、試験試料中のＤＨＴの存在または量と関連づけられる。
【００１６】
ある種の好ましい実施形態では、ＤＨＴの定量限界（ＬＯＱ）は、５．０ｎｇ／ｄＬ以上２００ｎｇ／ｄＬ以下の範囲内、好ましくは５．０ｎｇ／ｄＬ以上１００ｎｇ／ｄＬ以下の範囲内、好ましくは５．０ｎｇ／ｄＬ以上５０ｎｇ／ｄＬ以下の範囲内、好ましくは５．０ｎｇ／ｄＬ以上２５ｎｇ／ｄＬ以下の範囲内、好ましくは５．０ｎｇ／ｄＬ以上１５ｎｇ／ｄＬ以下の範囲内、好ましくは５．０ｎｇ／ｄＬ以上１０ｎｇ／ｄＬ以下の範囲内、好ましくは約５．０ｎｇ／ｄＬである。
【００１７】
本明細書で使用する場合、別途明記しない限り、単数形「ａ」、「ａｎ」および「ｔｈｅ」は、複数への言及を包含する。したがって、例えば「あるタンパク質」への言及は、複数のタンパク質分子を包含する。
【００１８】
本明細書で使用する場合、「誘導体化」とは、２つの分子を反応させて、新たな分子を形成することを意味する。ＤＨＴ分子などのあるアンドロゲン分子の誘導体化は、当技術
分野でよく知られる多数の誘導体化試薬を用いて実施し得る。例えば、Kashiwagi, B., et al., J Andrology 2005, 26: 586-91、およびＤＨＴのフルオロ−１−メチルピリジニ
ウム−ｐ−トルエンスルホネートによる抽出前の誘導体化を報告しているKashiwagi, B.,
et al., Urology 2005, 66: 218-23を参照されたい。本明細書で使用する場合、「非誘
導体化」とは、誘導体化されていないことを意味する。したがって、誘導体化について示されていないジヒドロテストステロン（ＤＨＴ）は、非誘導体化ＤＨＴである。
【００１９】
本明細書で使用する場合、用語「精製」または「精製する」とは、対象とする被検物質（複数可）以外の物質を全て試料から除くことを指す訳ではない。そうではなく、精製とは、対象とする被検物質の検出を妨害する恐れのある試料中の他の成分に対して、対象とする１種または複数の被検物質の量を濃縮する手順を指す。各種の手段による試料の精製により、１種または複数の妨害性物質、例えば、質量分析による選択されたＤＨＴの親または娘イオンの検出を妨害するかもしれない１種または複数の物質を相対的に低減させることが可能となる。相対的低減は、この用語を使用する場合、精製すべき材料中に対象とする被検物質と共に存在する任意の物質を、精製によって完全に除去することを要求していない。
【００２０】
本明細書で使用する場合、用語「試験試料」とは、ＤＨＴを含有し得る任意の試料を指す。本明細書で使用する場合、用語「体液」とは、個人の体から単離できる任意の液体を意味する。例えば、「体液」は、血液、血漿、血清、胆汁、唾液、尿、涙、汗などを包含し得る。
【００２１】
本明細書で使用する場合、用語「クロマトグラフィー」とは、液体または固体の固定相の周りまたはその上を流れる際、各化学的構成要素が差別的に分布する結果、液体または気体に運ばれた化学的混合物をその各成分に分離する方法を指す。
【００２２】
本明細書で使用する場合、用語「液体クロマトグラフィー」または「ＬＣ」とは、流動性溶液が、微細物質のカラムまたはキャピラリー通路の中を均一に浸透する際、その液体の１種または複数の成分を選択的に遅延させる方法を意味する。その遅延は、この液体が固定相（複数可）に対して移動する際に起こる、１つまたは複数の固定相およびバルク液体（即ち移動相）間の混合物成分の分布から生じる。「液体クロマトグラフィー」の例には、逆相液体クロマトグラフィー（ＲＰＬＣ）、高速液体クロマトグラフィー（ＨＰＬＣ）および高乱流液体クロマトグラフィー（ＨＴＬＣ）が含まれる。
【００２３】
本明細書で使用する場合、用語「高速液体クロマトグラフィー」または「ＨＰＬＣ」とは、固定相、通常は高密度充填カラムの中を圧力下に移動相を強制的に通すことにより、分離度を高める液体クロマトグラフィーを指す。
【００２４】
本明細書で使用する場合、用語「高乱流液体クロマトグラフィー」または「ＨＴＬＣ」とは、分離を行う基礎として、アッセイ対象物質がカラム充填剤を通る際の乱流を利用する１種のクロマトグラフィーを指す。ＨＴＬＣは、質量分析の前に、不特定の薬物２種を含有する試料を調製する際に適用されてきた。例えば、Zimmer et al., J Chromatogr A 854: 23-35 (1999)を参照されたい。ＨＴＬＣが更に説明されている米国特許第５９６８
３６７号、第５９１９３６８号、第５７９５４６９号および第５７７２８７４号も参照されたい。当業者は、「乱流」を理解している。液体が徐々に滑らかに流れるとき、その流れは「層流」と呼ばれる。例えば、低流速でＨＰＬＣカラムの中を移動する液体は、層流である。層流では、液体粒子の運動は規則的であり、一般に粒子は、直線となって移動する。速度が増すと、水の慣性が液体摩擦力に打ち勝ち、乱流が生じる。不規則な境界に接していない液体は、摩擦で減速した、または凹凸表面により逸れた液体より「速く流れる」。液体が乱流となって流れているとき、渦および渦流（または渦巻）となって流れ、層
流のときより「抵抗」が大きい。液流が、何時層流または乱流であるかを決定する際の補助に、多くの参考文献が利用できる（例えば、Turbulent Flow Analysis: Measurement and Prediction, P. S. Bernard & J. M. Wallace, John Wiley & Sons, Inc., (2000; An
Introduction to Turbulent Flow, Jean Mathieu & Julian Scott, Cambridge University Press (2001)）。
【００２５】
本明細書で使用する場合、用語「ガスクロマトグラフィー」または「ＧＣ」とは、試料混合物を蒸気化し、液体または粒子状固体からなる固定相を含んだカラムの中を移動するキャリアーガス（窒素またはヘリウムとして）の流れの中に注入し、固定相に対する各成分化合物の親和性に従って、その各化合物に分離するクロマトグラフィーを指す。
【００２６】
本明細書で使用する場合、用語「大型粒子カラム」または「抽出カラム」とは、約５０μｍを超える平均粒子径を含んだクロマトグラフィーカラムを指す。これに関連して使用する場合、用語「約」とは±１０％を意味する。
【００２７】
本明細書で使用する場合、用語「分析用カラム」とは、被検物質の有無または量の決定を可能とするのに十分である、カラムから溶離する試料の物質間の分離が、行われるのに十分なクロマトグラフィー段数を有するクロマトグラフィーカラムを指す。このようなカラムは、保持された物質を保持されていない物質から分離または抽出して、更なる分析用に精製試料を得るという一般目的を有する「抽出カラム」とは、しばしば区別されている。これに関して使用する場合、用語「約」とは±１０％を意味する。好ましい実施形態では、分析用カラムは直径が約４μｍの粒子を含む。
【００２８】
本明細書で使用する場合、用語「オンライン」または「インライン」とは、例えば「オンライン自動化方式」または「オンライン抽出」において使用する場合、操作者の介入を必要とせずに行われる手順を指す。対照的に、本明細書で使用する場合の用語「オフライン」とは、操作者の手操作の介入を必要とする手順を指す。したがって、試料が沈殿してしまった後、上清をオートサンプラー中に手操作で添加した場合、沈殿および添加のステップは、その後のステップからオフラインである。本法の各種実施形態では、１つまたは複数のステップは、オンライン自動化方式で行い得る。
【００２９】
本明細書で使用する場合、用語「質量分析」または「ＭＳ」とは、質量により化合物を同定する分析法を指す。ＭＳとは、質量電荷比または「ｍ／ｚ」に基づいてイオンを選別し、検出し、測定する方法を指す。ＭＳ技術には、一般に、（１）化合物をイオン化して、荷電化合物を形成するステップ、および（２）荷電化合物の分子量を検出し、質量電荷比を計算するステップが含まれる。該化合物は、適切な任意の手段によりイオン化し、検出し得る。「質量分析計」は、一般に、イオナイザーおよびイオン検出器を備えている。一般に、対象とする１種または複数の分子はイオン化され、続いてそのイオンは、質量分析装置の中に導入され、そこで磁界および電界が相俟って、イオンは、質量（「ｍ」）および電荷（「ｚ」）に依存した空間経路を辿る。例えば、「表面からの質量分析（Mass Spectrometry From Surfaces）」と題する米国特許第６２０４５００号、「タンデム質量
分析用の方法および装置（Methods and Apparatus for Tandem Mass Spectrometry）」と題する同第６１０７６２３号、「質量分析に基づくＤＮＡ診断（DNA Diagnostics Based On Mass Spectrometry）」と題する同第６２６８１４４号、「被検物質を脱離および検出するための表面強化した光不安定な結合および放出（Surface-Enhanced Photolabile Attachment And Release For Desorption And Detection Of Analytes）」と題する同第６１２４１３７号、Wright et al., Prostate Cancer and Prostatic Diseases 1999, 2: 264-76およびMerchant and Weinberger, Electrophoresis 2000, 21: 1164-67を参照された
い。
【００３０】
本明細書で使用する場合、用語「負イオンモードで操作する」とは、負イオンを生成し、検出する質量分析法を指す。本明細書で使用する場合の用語「正イオンモードで操作する」とは、正イオンを生成し、検出する質量分析法を指す。
【００３１】
本明細書で使用する場合、用語「イオン化」または「イオン化する」とは、１つまたは複数の電子単位に等しい正味電荷を有する、被検物質イオンを生成するプロセスを指す。負イオンは、１つまたは複数の電子単位の正味負電荷を有するものであるが、正イオンは、１つまたは複数の電子単位の正味正電荷を有するものである。
【００３２】
本明細書で使用する場合、用語「電子イオン化」または「ＥＩ」とは、ガス相または気相の対象被検物質を、電子流と相互作用させる方法を指す。電子の被検物質との衝突で、被検物質イオンが生成し、次いでそれを質量分析法に掛け得る。
【００３３】
本明細書で使用する場合、用語「化学イオン化」または「ＣＩ」とは、試薬ガス（例えばアンモニア）に電子衝撃を加え、試薬ガスイオンと被検物質分子との相互作用により、被検物質イオンを形成する方法を指す。
【００３４】
本明細書で使用する場合、用語「高速原子衝撃」または「ＦＡＢ」とは、高エネルギー原子（しばしばＸｅまたはＡｒ）のビームを不揮発性試料に衝突させ、試料中に含まれる分子を脱離させ、イオン化する方法を指す。試験試料は、グリセロール、チオグリセロール、ｍ−ニトロベンジルアルコール、１８−クラウン−６クラウンエーテル、２−ニトロフェニルオクチルエーテル、スルホラン、ジエタノールアミンおよびトリエタノールアミンなどの粘性液体マトリックス中に溶解している。化合物または試料に適したマトリックスの選定は、経験によって行う。
【００３５】
本明細書で使用する場合、用語「マトリックス支援レーザー脱離イオン化」または「ＭＡＬＤＩ」とは、不揮発性試料をレーザー照射に曝すことにより、試料中の被検物質を、光イオン化、プロトン化、脱プロトン化およびクラスター分解を含む各種イオン化経路によって、脱離させ、イオン化する方法を指す。ＭＡＬＤＩの場合、試料は、被検物質分子の脱離を促進するエネルギー吸収性マトリックスと混合する。
【００３６】
本明細書で使用する場合、用語「セルディ法（surface enhanced laser desorption ionization）」または「ＳＥＬＤＩ」とは、不揮発性試料をレーザー照射に曝すことにより、試料中の被検物質を、光イオン化、プロトン化、脱プロトン化およびクラスター分解を含む各種イオン化経路によって、脱離させ、イオン化する別の方法を指す。ＳＥＬＤＩの場合、試料は、１種または複数の対象被検物質を選択的に保持する表面に、通常結合している。ＭＡＬＤＩと同様に、このプロセスでも、エネルギー吸収性材料を用いてイオン化を促進し得る。
【００３７】
本明細書で使用する場合、用語「エレクトロスプレーイオン化」または「ＥＳＩ」とは、溶液を長さの短いキャピラリー管に沿って通過させ、管の末端に正または負の高い電位を印加する方法を指す。管の末端に到達する溶液は、溶媒蒸気中の微小液滴溶液のジェットまたはスプレーとなって蒸発する（霧化する）。この液滴ミストは、凝縮を防止し、溶媒を蒸発させるために少し加熱された蒸発室の中を流れる。液滴が小さくなるにつれ、表面電荷密度は増加し、遂には、類似の電荷同士間の自然反発のために、イオンならびに中性分子も放出される。
【００３８】
本明細書で使用する場合、用語「大気圧化学イオン化」または「ＡＰＣＩ」とは、ＥＳＩに類似の質量分析法を指すが、ＡＰＣＩでは、大気圧のプラズマ内で起こるイオン−分子間反応によりイオンを生成する。プラズマは、スプレーキャピラリーおよび対電極間の
放電により維持される。次いで、イオンは、通常、差動排気された１組のスキマーステージの使用により、質量分析器の中へ抜き取られる。乾燥した予備加熱Ｎ２ガスの逆流を用いて、溶媒の除去を改善してもよい。ＡＰＣＩにおける気相イオン化は、極性のより低い種の分析にとって、ＥＳＩより有効になり得る。
【００３９】
本明細書で使用する場合の用語「大気圧光イオン化」または「ＡＰＰＩ」とは、分子Ｍの光イオン化機構が、光吸収および電子放射による分子イオンＭ＋の形成である質量分析の形態を指す。光子エネルギーは、通常イオン化ポテンシャルより僅かに高いので、分子イオンの解離が、よりし難くなる。多くの場合、クロマトグラフィーの必要性なしに試料の分析が可能になり得るので、相当程度に時間および経費が節約される。水蒸気またはプロトン性溶媒の存在下で、分子イオンは、Ｈを引き抜いてＭＨ＋を形成することができる。これは、Ｍが高いプロトン親和性を有する場合に、起こる傾向がある。Ｍ＋およびＭＨ＋の和が一定であるので、これが定量正確度に影響することはない。プロトン性溶媒中の薬物化合物は、普通ＭＨ＋として観察されるが、ナフタレンまたはテストステロンなどの非極性化合物は、普通Ｍ＋を形成する。例えば、Robb et al., Anal. Chem. 2000, 72(15): 3653-3659を参照されたい。
【００４０】
本明細書で使用する場合、用語「誘導結合プラズマ」または「ＩＣＰ」とは、大部分の元素が原子化され、イオン化されるほどに十分高い温度で、試料が、部分イオン化ガスと相互作用する方法を指す。
【００４１】
本明細書で使用する場合、用語「電界脱離」とは、不揮発性の試験試料をイオン化表面上に配置し、強力な電界を用いて、被検物質イオンを生成する方法を指す。
【００４２】
本明細書で使用する場合、用語「脱離」とは、表面からの被検物質の除去および／または気相中への被検物質の進入を指す。レーザー脱離・熱脱離は、被検物質を含有する試料を、レーザーパルスにより気相中へ熱脱離させる技法である。レーザーは、金属基材の特製９６ウェルプレートの背面に衝突する。レーザーパルスは基材を加熱し、その熱で、試料は気相中に移動する。次いで、気相試料は質量分析計の中へ抜き取られる。
【００４３】
本明細書で使用する場合、用語「選択的イオンモニタリング」とは、比較的狭い質量範囲内、通常は約１質量単位のイオンだけを検出する、質量分析装置の検出方式である。
【００４４】
本明細書で使用する場合、用語「多重反応方式」とは、時々「選択反応モニタリング」としても知られているが、前駆イオンおよび１つまたは複数のフラグメントイオンを選択的に検出する、質量分析装置の検出方式である。
【００４５】
本明細書で使用する場合、用語「定量化限界」、「定量限界」または「ＬＯＱ」とは、測定値が定量的に意味をもつようになる点を指す。このＬＯＱにおける被検物質の応答は、識別可能であり、個別的であり、再現性があり、相対標準偏差（ＲＳＤ％）は２０％であり、正確度は８０％〜１２０％である。
【００４６】
本明細書で使用する場合、用語「検出限界」または「ＬＯＤ」とは、測定値が、それに伴う不確実性より大きい点である。ＬＯＤは、ある値が、その測定に伴う不確実性を超えている点であり、ゼロ濃度における平均値のＲＳＤの２倍と定義される。
【００４７】
本明細書で使用する場合、体液試料中のＤＨＴの「量」とは、ある容量の体液中で検出可能なＤＨＴの質量を反映した絶対値を一般に指す。しかし、この量はまた、別のＤＨＴ量と比較した際の相対量も想定している。例えば、体液中のＤＨＴのある量は、通常存在する対照または正常レベルのＤＨＴより大きい量であってもよい。
【００４８】
イオンの質量測定以外の定量的測定値に関して、本明細書で使用する場合の用語「約」とは、表示値プラスまたはマイナス１０％を指す。質量分析装置は、所与の被検物質の質量を決定する際、わずかに変動しうる。イオンの質量またはイオンの質量／電荷比に関する場合、用語「約」とは、±０．５０原子質量単位を指す。
【００４９】
上記した本発明の概要は限定的なものではなく、本発明の他の特徴および利点は、本発明の以下の詳細な説明、および特許請求の範囲から明らかとなろう。
【図面の簡単な説明】
【００５０】
【図１】図１は、ＤＨＴアッセイの定量限界を決定するために使用した、ブランクおよび標準品５点に関するアッセイの変動係数のプロットを示す図である。詳細は、実施例５に説明される。
【図２】図２は、ＬＣ−ＭＳ／ＭＳアッセイを用いた、連続希釈ストック試料におけるＤＨＴの定量の線形性を示す図である。詳細は、実施例６に記載される。
【図３】図３は、本発明の例示的ＨＰＬＣ−ＭＳ法によるＤＨＴ決定値と、参考のラジオイムノアッセイ（ＲＩＡ）法によるＤＨＴ決定値との相関を示す図である。図３Ａに示した相関は、線形回帰により決定した。図３Ｂに示した相関は、デミング分析により決定した。詳細は、実施例１０に記載される。
【発明を実施するための形態】
【００５１】
試料中のＤＨＴ量を測定する本発明の方法について説明する。より具体的には、試料中のＤＨＴを検出し定量するための質量分析法について説明する。本方法は、高乱流液体クロマトグラフィー（ＨＴＬＣ）を利用して、選択された被検物質の精製を行い、この精製を質量分析（ＭＳ）法と組み合わせることにより、試料中のＤＨＴを検出し、定量することができるハイスループットアッセイシステムを提供する。好ましい実施形態は、自動化ＤＨＴアッセイ用の大型臨床検査室における応用に特に良く適合している。
【００５２】
本発明の方法に使用する適切な試験試料には、対象とする被検物質を含有しているかもしれない任意の試験試料が含まれる。幾つかの好ましい実施形態では、試料は、生物試料、即ち動物、細胞培養物、器官培養物などの任意の生物源から得られる試料である。ある種の好ましい実施形態では、試料は、イヌ、ネコ、ウマなどの哺乳動物から得られる。特に好ましい哺乳動物は、霊長類、最も好ましくは人間の男性または女性である。特に好ましい試料には、血液、血漿、血清、唾液、脳脊髄液または組織試料などの体液が含まれる。このような試料は、例えば患者、即ち疾患または異常の診断、予後診断または治療のために臨床環境に現れる男性または女性の生存者から取得し得る。試験試料は、好ましくは患者、例えば血清または血漿から得られる。約０．５ｍＬの試料容量が好ましいが、約０．１ｍＬの試料も分析することができる。
【００５３】
本発明は、ＤＨＴ定量アッセイ用のキットを想定している。本発明のＤＨＴ定量アッセイ用のキットは、少なくとも１回のアッセイに十分な量の内部標準を含んだキットを含むことができる。通常、このキットには、ＤＨＴ量を決定する測定アッセイに使用する包装試薬を用いるために、有形形態となって記録された（例えば、紙または電子媒体上に収められた）使用説明書も含まれる。
【００５４】
本発明の実施形態に使用する較正およびＱＣのプールは、「抜取り」血漿または血清（ＤＨＴが抜き取られた）、例えば、活性炭抜取りおよび脱脂質を二重に施した血清を用いて調製することができる。ヒトまたは非ヒトからの抜取り血漿または血清の供給源は全て、測定可能量のＤＨＴを含有していないことを確かめるために、チェックすべきである。
【００５５】
質量分析のための試料調製
試験試料は、室温未満で貯蔵し得る。室温未満で貯蔵した試験試料（対照を含む）は、先ず室温まで戻し、機械的な渦流で混合される。内部標準は、この時点で試験試料に添加し得る。
【００５６】
試料は、次いで液液または固相抽出により質量分析用に調製し得る。各種の方法、例えば液体クロマトグラフィー、ろ過、遠心分離、薄層クロマトグラフィー（ＴＬＣ）、キャピラリー電気泳動を含む電気泳動、イムノアフィニティー分離を含むアフィニティー分離、酢酸エチルもしくはメタノール抽出を含む抽出法、およびカオトロピック剤の使用、または上記方法などの組合せを含めた方法を使用して、質量分析の前に、試料中の他の成分（例えば、タンパク質）に対してＤＨＴを濃縮し得る。
【００５７】
タンパク質沈殿は、試験試料、特に、血清または血漿などの生物試験試料を調製する一方法である。このようなタンパク質精製法は、当技術分野でよく知られており、例えば、Polson et al., Journal of Chromatography B 2003, 785: 263-275は、本発明の方法に
おける使用に適したタンパク質沈殿法を記載している。タンパク質沈殿を使用して、試料からタンパク質の大部分を除き、上清中にＤＨＴを残し得る。試料は、沈殿タンパク質から上清液を分離するために、遠心分離してもよく、あるいは、試料は、沈殿タンパク質を除くために、ろ過してもよい。次いで、生成した上清またはろ液は、直接質量分光分析に、あるいは、液体クロマトグラフィーの後、質量分光分析に適用することができる。ある種の実施形態では、例えばギ酸法タンパク質沈殿などのタンパク質沈殿の使用により、質量分析またはＨＰＬＣと質量分析の前に、ＨＴＬＣまたは他のオンライン抽出をする必要性が回避され得る。
【００５８】
したがって幾つかの実施形態では、タンパク質沈殿の単独または１種もしくは複数の精製法との組合せが、質量分析前のＤＨＴの精製に使用し得る。こうした実施形態では、該方法は、（１）対象試料のタンパク質沈殿を行うステップ、および（２）オンライン抽出またはＨＴＬＣを使用せずに、ＬＣ−質量分析計上に直接上清を添加するステップを含み得る。代替として、該方法は、（１）対象試料のタンパク質沈殿を行うステップ、および（２）質量分析の前に更に精製するために、オンライン抽出を用いてＨＴＬＣ上に上清を添加するステップを含み得る。
【００５９】
質量分析前に使用し得る試料精製の一手段は、液体クロマトグラフィー（ＬＣ）である。ＨＰＬＣを含めたある種の液体クロマトグラフィー法は、比較的緩慢な層流技術に依拠している。従来のＨＰＬＣ分析は、カラムを通る試料の層流が、試料から対象被検物質を分離する基礎になるカラム充填に依拠している。当業者であれば、このようなカラムにおける分離は拡散過程であり、それには、ＤＨＴとの使用に適したＨＰＬＣの装置およびカラムを選択し得ることが理解されよう。クロマトグラフィー用カラムは、通常、化学成分の分離（即ち分別）を促進するために、媒体（即ち充填材料）を含んでいる。媒体は、微小な粒子を含み得る。粒子は、化学成分の分離を促進するために、多様な化学成分と相互作用する結合表面を含んでいる。適切な一結合表面は、アルキル結合またはシアノ結合表面などの疎水性結合表面である。アルキル結合表面は、Ｃ−４、Ｃ−８、Ｃ−１２またはＣ−１８結合アルキル基を含み得る。好ましい実施形態では、該カラムはシアノカラムである。クロマトグラフィー用カラムは、固相抽出またはＨＴＬＣカラムから直接または間接に試料を受入れる入口ポート、および分別試料を含んだ排出液を放出する出口ポートを備えている。
【００６０】
一実施形態では、試料は、ＬＣカラムの入口ポートに適用し、溶媒または溶媒混合物で溶離し、出口ポートで放出し得る。対象被検物質（複数可）を溶離するために、様々な溶媒モードを選択し得る。例えば、液体クロマトグラフィーは、勾配モード、定組成モード
または多種（即ち混合）モードを用いて行い得る。クロマトグラフィーの間に、物質の分離は、溶離液（「移動相」の名でも知られている）の選定、溶離モード、勾配条件、温度などの変量により起こる。
【００６１】
ある種の実施形態では、ある被検物質は、その対象被検物質がカラム充填材により可逆的に保持される一方、他の１種または複数の物質は保持されない条件の下で、カラムに試料を適用することにより精製し得る。こうした実施形態では、対象被検物質がカラムに保持される第１の移動相条件を採用し、続いて、非保持物質を洗い出した後、第２の移動相条件を採用して、カラムから保持物質を除くことができる。代替として、ある被検物質は、その対象被検物質が、他の１種または複数の物質と比較して差速度で溶離する移動相条件の下で、カラムに試料を適用することによっても精製し得る。このような手順により、他の１種または複数の試料成分に比して、１種または複数の対象被検物質の量を濃縮し得る。
【００６２】
好ましい一実施形態では、ＨＰＬＣは、疎水性カラムクロマトグラフィーシステムで行われる。ある種の好ましい実施形態では、シアノ分析カラム（例えば、Ｔｈｅｒｍｏ  Ｓｃｉｅｎｔｉｆｉｃ，Ｉｎｃ．のＢｅｔａＢａｓｉｃ  Ｃｙａｎｏ分析カラム（粒径５μｍ、５０×２．１ｍｍ）または同等品）が使用される。ある種の好ましい実施形態では、移動相としてＨＰＬＣ用の０．１％ギ酸水溶液および１００％メタノールを用いて、ＨＴＬＣおよび／またはＨＰＬＣが行われる。
【００６３】
バルブおよびコネクター配管系を注意深く選定することにより、必要であれば２本以上のカラムを接続することによって、物質が、何ら手操作ステップを必要とせずにカラム間を通過するようにしてもよい。好ましい実施形態では、バルブおよび配管系の選定は、必要なステップを行うように予めプログラムされたコンピュータにより制御される。最も好ましくは、クロマトグラフィーシステムは、検出システム、例えばＭＳシステムにもこのようなオンライン方式で接続される。したがって、操作者は、オートサンプラー中に試料トレーを配置でき、残りの操作は、コンピュータ制御の下で行って、選択された全試料の精製および分析が実現される。
【００６４】
幾つかの実施形態では、ＨＴＬＣを使用して、質量分析の前にＤＨＴを精製してもよい。このような実施形態では、試料は、被検物質を捕捉するＨＴＬＣ抽出カートリッジを使用して抽出し、その後溶離し、第２のＨＴＬＣカラムまたは分析用ＨＰＬＣカラム上でクロマトグラフィーを行った後、イオン化してもよい。例えば、ＨＴＬＣ抽出カートリッジによる試料抽出は、大粒径（５０μｍ）充填カラムを用いて実現し得る。このカラムから溶出した試料は、次いで、質量分析の前に更に精製するために、シアノ分析カラムなどのＨＰＬＣ分析カラムに移し得る。クロマトグラフィーのこうした操作に関わるステップは、自動化方式で連結し得るので、被検物質の精製中に操作者が関わる必要性を最小限に抑えることができる。この特徴により、時間およびコストが節約される結果となり、誤操作の機会を排除し得る。
【００６５】
質量分析による検出および定量
各種の実施形態では、試験試料中に存在するＤＨＴは、当業者に公知の任意の方法によりイオン化し得る。質量分析は、質量分析計を用いて行われ、その中には分別試料をイオン化し、更なる分析のために荷電分子を製造するためのイオン源が含まれる。例えば、試料のイオン化は、電子イオン化、化学イオン化、エレクトロスプレーイオン化（ＥＳＩ）、光子イオン化、大気圧化学イオン化（ＡＰＣＩ）、光イオン化、大気圧光イオン化（ＡＰＰＩ）、高速原子衝撃（ＦＡＢ）、液体二次イオン化（ＬＳＩ）、マトリックス支援レーザー脱着イオン化（ＭＡＬＤＩ）、電界イオン化、電界脱着、サーモスプレー／プラズマスプレーイオン化、セルディ法（ＳＥＬＤＩ）、誘導結合プラズマ（ＩＣＰ）および粒
子ビームイオン化によって行い得る。当業者であれば、イオン化法の選定は、測定すべき被検物質、試料の種類、検出器の種類、正対負モードの選定などに基づいて決定し得ることを理解されよう。
【００６６】
ＤＨＴは、正または負のモードでイオン化し得る。好ましい実施形態では、ＤＨＴは、正モードでＡＰＣＩによりイオン化される。関連する好ましい実施形態では、ＤＨＴイオンはガス状態にあり、不活性衝突ガスは、アルゴンまたは窒素、好ましくはアルゴンである。
【００６７】
質量分析技法では、一般に、試料をイオン化した後、その結果創出された正荷電または負荷電イオンを分析することにより、質量電荷比を決定し得る。質量電荷比を決定する適切な分析計には、四重極分析計、イオントラップ分析計および飛行時間分析計が挙げられる。イオンは、幾つかの検出モードを用いて検出し得る。例えば、選択イオンは、即ち選択的イオンモニタリングモード（ＳＩＭ）を用いて検出し得る、あるいはイオンは、スキャンモード、例えば多重反応モニタリング（ＭＲＭ）または選択反応モニタリング（ＳＲＭ）を用いて検出し得る。好ましくは、質量電荷比は、四重極分析計を用いて決定される。例えば、「四重極」または「四重極イオントラップ」装置では、高周波振動電界中のイオンは、電極間に印加されたＤＣ電位、ＲＦシグナルの振幅、および質量／電荷比に比例した力を受ける。電圧および振幅は、特定の質量／電荷比を有するイオンだけが、四重極の長さを通行するが、他の全てのイオンは偏向するように、選択し得る。したがって、四重極装置は、装置中に入射されたイオンにとって、「質量フィルター」としても「質量検出器」としても作用し得る。
【００６８】
ＭＳ技法の分解能は、「タンデム質量分析」即ち「ＭＳ／ＭＳ」を採用することにより、増強し得る。この技法では、対象分子から生成した前駆イオン（親イオンとも呼ばれる）を、ＭＳ装置中で選別することができ、その前駆イオンは、続いてフラグメント化されて、１種または複数のフラグメントイオン（娘イオンまたはプロダクトイオンとも呼ばれる）を産生し、次いでそれを第２のＭＳ手順で分析する。前駆イオンの注意深い選択により、ある種の被検物質が生成するイオンだけが、フラグメンテーション室へと通過し、そこで不活性ガスの原子と衝突して、フラグメントイオンを生成する。前駆およびフラグメントの両イオンは、所与の１組のイオン化／フラグメンテーション条件下で、再現性良く生成するので、ＭＳ／ＭＳ技法は、極めて強力な分析ツールを提供し得る。例えば、選別／フラグメンテーションの組合せは、妨害物質の除去に使用でき、生物試料などの複雑な試料において特に有用になり得る。
【００６９】
質量分析計は、通常、ユーザーにイオンスキャン、即ち所与の範囲（例えば、１００〜１０００ａｍｕ）にわたる質量／電荷が特定の各イオンの相対存在量を与える。被検物質アッセイの結果、即ちマススペクトルは、当技術分野で公知の多くの方法によって、元の試料中の被検物質量と関連付けることができる。例えば、サンプリングおよび分析パラメーターが注意深く制御されていることを前提とすれば、所与のイオンの相対存在量は、その相対存在量を元の分子の絶対量に換算する表と比較し得る。あるいは、分子標準品を試料と共に操作し、そのような標準品から生成したイオンに基づいて、標準曲線を構築してもよい。このような標準曲線を用いて、所与のイオンの相対存在量は、元の分子の絶対量に換算し得る。ある種の好ましい実施形態では、内部標準を使用してＤＨＴ量を計算するための標準曲線を生成する。このような標準曲線を生成し、使用する方法は、当技術分野でよく知られており、当業者は、適当な内部標準を選択することができる。例えば、同位体標識したステロイドを内部標準として使用してもよく、ある種の好ましい実施形態では、その標準は、１６，１６，１７−ｄ３ジヒドロテストステロン（１６，１６，１７−ｄ３ＤＨＴ）である。イオン量を元の分子の量に関連付ける他の多くの方法は、当業者によく知られている。
【００７０】
該方法の１つまたは複数のステップは、自動機械を用いて行い得る。ある種の実施形態では、１つまたは複数の精製ステップを、オンラインで行い、より好ましくは、精製および質量分析の全ステップをオンライン方式で行い得る。
【００７１】
更なるフラグメンテーションのために前駆イオンを単離する、ＭＳ／ＭＳなどのある種の実施形態では、衝突活性化解離が、更なる検出用のフラグメントイオンを生成するために、しばしば使用される。ＣＡＤでは、前駆イオンは、不活性ガスとの衝突によりエネルギーを獲得し、続いて「単分子分解」と称する過程によりフラグメントになる。前駆イオン内の特定の結合を、振動エネルギーの増加により破壊できるように、十分なエネルギーをその前駆イオン中に沈積しなければならない。
【００７２】
特定の好ましい実施形態では、ＤＨＴは、ＭＳ／ＭＳを用いて以下のように検出および／または定量される。試料は、液体クロマトグラフィー、好ましくはＨＴＬＣに掛けられる。クロマトグラフィー用カラムからの液体溶媒は、ＭＳ／ＭＳ分析計の加熱されたネブライザーインターフェイスに入り、溶媒／被検物質混合物は、そのインターフェイスの加熱管において蒸気に変換される。霧化した溶媒中に含有される被検物質（例えばＤＨＴ）は、霧化した溶媒／被検物質混合物に大きな電圧を印加する、インターフェイスのコロナ放電針によりイオン化される。そのイオン、例えば前駆イオンは、装置のオリフィスを通過して第１の四重極に入る。四重極１および３（Ｑ１およびＱ３）は、質量フィルターであり、質量電荷比（ｍ／ｚ）に基づいてイオンの選択（即ち、Ｑ１およびＱ３においてそれぞれ「前駆」および「フラグメント」イオンの選択）を可能にする。四重極２（Ｑ２）は、衝突セルであり、そこでイオンがフラグメント化される。質量分析計の第１の四重極（Ｑ１）は、ＤＨＴの質量電荷比を有する分子を選択する。正しい質量／電荷比を有する前駆イオンは、衝突室（Ｑ２）中に通過するのを許容されるが、他の任意の質量／電荷比を有する不要イオンは、その四重極の側面と衝突し、除去される。Ｑ２に入ってくる前駆イオンは、中性のアルゴンガス分子と衝突し、フラグメントになる。この過程は、衝突活性化解離（ＣＡＤ）と呼ばれる。生成したフラグメントイオンは、四重極３（Ｑ３）の中へ通過し、そこでＤＨＴのフラグメントイオンは選択されるが、他のイオンは除去される。
【００７３】
該方法は、正イオンまたは負イオンいずれかのモード、好ましくは正イオンモードで行われるＭＳ／ＭＳを伴い得る。当業者は、当技術分野でよく知られる標準法を用いて、四重極３（Ｑ３）での選択に使用し得る、特定のＤＨＴ前駆イオンの１種または複数のフラグメントイオンを同定することができる。
【００７４】
イオンが検出器と衝突する際、電子のパルスが生成し、デジタル信号に変換される。取得データは、コンピュータにリレーされ、収集イオン数対時間がプロットされる。生成したマスクロマトグラムは、従来のＨＰＬＣ法で生成したクロマトグラムに類似している。特定のイオンに対応するピーク下の面積、またはこのようなピークの振幅が測定され、その面積または振幅は、対象被検物質の量と相関付けされる。ある種の実施形態では、フラグメントイオン（複数可）および／または前駆イオンの曲線下面積またはピークの振幅を測定して、ＤＨＴ量を決定する。上述したように、所与のイオンの相対存在量は、１６，１６，１７−ｄ３ジヒドロテストステロンなどの内部分子標準の１つまたは複数のイオンピークに基づく較正標準曲線を用いて、元の被検物質、例えばＤＨＴの絶対量に換算し得る。
【００７５】
以下の実施例は、本発明の例示に役立つ。これらの実施例は、本方法の範囲を制限することを意図するものではない。
【実施例１】
【００７６】
血清試料および試薬の調製
血漿試料は、添加剤を用いずにＶａｃｕｔａｉｎｅｒチューブ中に血液を集めることにより調製し、室温で約３０分間凝固させた。次いで、試料を遠心分離し、血清を細胞から分離した。肉眼で溶血を示した試料は、除外した。
【００７７】
３種のストック溶液をＤＨＴ（Ｓｉｇｍａ  Ｃｈｅｍｉｃａｌ  Ｃｏｍｐａｎｙ，Ｃａｔ．Ｎｏ．Ａ７７５５または同等品）で調製した。メタノール中１ｍｇ／ｍＬのＤＨＴストック標準溶液を、容量フラスコ中で調製した。次いで、ＤＨＴストック標準溶液の一部を１：１００で希釈して、メタノール中１，０００，０００ｎｇ／ｄＬのＤＨＴ中間ストック標準溶液を調製した。中間ストック標準溶液の一部を用いて、メタノール中２，０００ｎｇ／ｄＬの第２中間ストック標準溶液を調製した。第２中間ストック標準溶液を用いて、抜取り血清中２００ｎｇ／ｄＬのＤＨＴ使用標準液を調製した。
【００７８】
１６，１６，１７−ｄ３ジヒドロテストステロン（ＣＤＮ，Ｃａｔ．Ｎｏ．Ｄ−５０７９または同等品）を用いて、重水素化メタノール中１．０ｍｇ／ｍＬの１６，１６，１７−ｄ３ジヒドロテストステロンの内部標準ストック溶液を調製し、これを用いて、重水素化メタノール中１，０００，０００ｎｇ／ｄＬの１６，１６，１７−ｄ３ジヒドロテストステロンの中間内部標準ストック溶液を調製した。この中間ストック溶液を１．０ｍＬ用いて、水中１０００ｎｇ／ｄＬの１６，１６，１７−ｄ３ジヒドロテストステロンの第２中間内部標準ストック溶液を調製した。５００ｎｇ／ｄＬの１６，１６，１７−ｄ３ジヒドロテストステロンの内部標準使用溶液は、２００ｍＬの容量フラスコ中で、第２中間内部標準ストック溶液２０ｍＬを脱イオン水で定容量まで希釈することにより、調製した。
【実施例２】
【００７９】
液体クロマトグラフィーを用いた試料からのＤＨＴの抽出
室温の標準、対照および患者試料を、機械的渦流で最初に混合することにより、液体クロマトグラフィー（ＬＣ）用に調製した。
【００８０】
次いで、渦流撹拌した標準、対照および患者試料各々の３００μＬを９６ウェルプレートのウェルに移した。次いで、２０％ギ酸３００μＬおよび５００ｎｇ／ｍＬの１６，１６，１７−ｄ３ジヒドロテストステロン内部標準の使用溶液１００μＬを、各々に添加した。次いで、プレートを渦流撹拌し、室温で３０分間インキュベートした後、オートサンプラーの引出し中に載せた。
【００８１】
試料注入は、Ａｒｉａ  ＯＳ  Ｖ１．５またはそれより新しいソフトウェアを用いたＣｏｈｅｓｉｖｅ  Ｔｅｃｈｎｏｌｏｇｉｅｓ  Ａｒｉａ  ＴＬＸ−１  ＨＴＬＣで行った。オートサンプラーの洗浄液は、６０％アセトニトリル、３０％イソプロパノールおよび１０％アセトン（ｖ／ｖ）を用いて調製した。
【００８２】
このＨＴＬＣシステムは、上記調製試料１００μＬを、大型粒子を充填したＴｕｒｂｏＦｌｏｗカラム（Ｃｏｈｅｓｉｖｅ  Ｔｅｃｈｎｏｌｏｇｉｅｓ製の５０×１．０ｍｍ、５０μｍ  Ｃ−１８カラム）中に自動注入した。試料に、高流速の負荷を掛けて（５．０ｍＬ／分、負荷試薬０．１％ギ酸）、抽出カラム内に乱流を起こした。この乱流によって、カラム中の大型粒子へのＤＨＴの最適結合、ならびに残存タンパク質および屑の廃液への通過が確実となった。
【００８３】
負荷を掛けた後、流れ方向を逆転させ、試料を分析カラム（Ｔｈｅｒｍｏ  Ｓｃｉｅｎｔｉｆｉｃ、ＢｅｔａＢａｓｉｃ  Ｃｙａｎｏカラム、粒径５μｍ、５０×２．１ｍｍ）へ溶離させた。二元ＨＰＬＣ勾配を分析カラムに適用して、ＤＨＴを試料中に含有される
他の被検物質から分離した。移動相Ａは０．１％ギ酸であり、移動相Ｂは１００％メタノールであった。ＨＰＬＣ勾配は、３％有機勾配から始まり、およそ４．７５分で５０％に上昇した。次いで、分離した試料をＭＳ／ＭＳに掛けて、ＤＨＴを定量した。
【００８４】
類似の被検物質に対するＤＨＴの特異性を、以下の化合物（各々、抜取り血清中１０００ｎｇ／ｍＬの濃度で）について決定した。即ち、テストステロン、エストリオール、デヒドロエピアンドロステロン（ＤＨＥＡ）、エストロン、プレグネノロン、エストラジオール、アンドロステンジオン、１７−ＯＨプレグネノロン、コルチコステロンおよびアルドステロンであった。これらの化合物のいずれに対しても、有意な妨害は認められなかった。
【実施例３】
【００８５】
ＭＳ／ＭＳによるＤＨＴの検出および定量
ＭＳ／ＭＳは、Ｆｉｎｎｉｇａｎ  ＴＳＱ  Ｑｕａｎｔｕｍ  Ｕｌｔｒａ  ＭＳ／ＭＳシステム（Ｔｈｅｒｍｏ  Ｅｌｅｃｔｒｏｎ  Ｃｏｒｐｏｒａｔｉｏｎ）を用いて行った。全てＴｈｅｒｍｏＥｌｅｃｔｒｏｎ製の以下のソフトウェアプログラムを、本明細書に記載の実施例で使用した。即ちＱｕａｎｔｕｍ  Ｔｕｎｅ  Ｍａｓｔｅｒ  Ｖ１．２以上、Ｘｃａｌｉｂｕｒ  Ｖ  １．４ＳＲ１以上、ＴＳＱ  Ｑｕａｎｔｕｍ  １．４以上、およびＬＣＱｕａｎ  Ｖ  ２．０  ｗｉｔｈ  ＳＰ１以上であった。分析カラムを出ていく液体溶媒／被検物質は、Ｔｈｅｒｍｏ  Ｆｉｎｎｉｇａｎ  ＭＳ／ＭＳ分析計の加熱ネブライザーインターフェイスまで流れた。溶媒／被検物質の混合物は、そのインターフェイスの加熱管にて蒸気に変換された。霧化溶媒中の被検物質は、ＡＰＣＩによりイオン化された。
【００８６】
イオンは、第１の四重極（Ｑ１）まで通過し、そこで質量電荷比２９１．１０±０．５０ｍ／ｚのイオンが選択された。第２の四重極（Ｑ２）に入るイオンは、アルゴンガスと衝突して、イオンフラグメントを生成し、それらが第３の四重極（Ｑ３）まで通過して、更に選択された。同時に、同位体希釈質量分析を用いる同じプロセスを、内部標準の１６，１６，１７−ｄ３ジヒドロテストステロンで実施した。以下の質量遷移を用いて、正極性に関する検証中に検出および定量を行った。
【００８７】
【表１】
2015143699.tif 000003
【実施例４】
【００８８】
アッセイ内およびアッセイ間の精密度および正確度
アッセイの報告可能な推定範囲を包含するように、濃度２５、７５および１５０ｎｇ／ｄＬにＤＨＴを混合した活性炭抜取りヒト血清（Ｇｏｌｄｅｎ  Ｗｅｓｔ  Ｂｉｏｌｏｇｉｃａｌｓ，Ｔｅｍｅｃｕｌａ，ＣＡ）から、３種の品質管理（ＱＣ）プールを調製した。
【００８９】
３種のＱＣプール各々からの一定分量１０点を、単一アッセイで分析して、アッセイ内の試料の変動係数（ＣＶ（％））を決定した。以下の値が決定された。
【００９０】
【表２】
2015143699.tif 000004
【００９１】
３種のＱＣプール各々からの一定分量１０点を、１０日間にわたって分析して、アッセイ間の変動係数（ＣＶ（％））を決定した。以下の値が決定された。
【００９２】
【表３】
2015143699.tif 000005
【実施例５】
【００９３】
分析感度：検出限界（ＬＯＤ）および定量限界（ＬＯＱ）
ＬＯＱは、測定値が定量的に意味を持つようになる点である。このＬＯＱにおける被検物質の応答は、精密度２０％および正確度８０％〜１２０％で、識別可能で、個別的であり、再現性がある。ＬＯＱは、１．２５、２．５、５．０、１０．０および２０．０ｎｇ／ｄＬのＤＨＴ濃度を混合した被検物質抜取り血清標品（各レベルにおいて同一標品５点）をアッセイした後、ＣＶを決定することにより、決定した。その結果をプロットし（図１に示す）、曲線からＬＯＱは、５．０ｎｇ／ｄＬであると決定した。
【００９４】
ＬＯＤは、ある値が、その測定に伴う不確実性を超えている点であり、ゼロ濃度からの標準偏差の２倍と定義される。ＤＨＴアッセイのＬＯＤを決定するために、活性炭抜取り血清のブランク試料を、同一試料１０点で操作した。これらアッセイの結果は、平均値１．０ｎｇ／ｄＬおよび標準偏差０．５ｎｇ／ｄＬで統計的に分析した。したがって、ＤＨＴのＬＯＤは２．０ｎｇ／ｄＬであった。
【実施例６】
【００９５】
報告可能なアッセイ範囲および線形性
アッセイにおけるＤＨＴ検出の線形性を確立するために、ゼロ標準と割り当てたブランク１点、および１０〜２００ｎｇ／ｄＬの範囲の濃度で混合した血清標準５点をアッセイした。試験した濃度範囲（０〜２００ｎｇ／ｄＬ）の相関値は、０．９９５超であった。
２００ｎｇ／ｄＬまでの標準曲線の線形性を示すグラフを図２に示す。
【実施例７】
【００９６】
マトリックス特異性
マトリックス特異性は、患者の血清試料を、以下のマトリックス：被検物質抜取り血清（活性炭抜取り血清、Ｃａｔ．Ｎｏ．ＳＰ１０７０、Ｇｏｌｄｅｎ  Ｗｅｓｔ  Ｂｉｏｌｏｇｉｃａｌｓ，Ｉｎｃ．）、正常ヒト脱線維素血清（Ｃａｔ．Ｎｏ．１１０１−００、Ｂｉｏｃｅｌｌ  Ｌａｂｓ，Ｃａｒｓｏｎ，ＣＡ９０７４６、または同等品）、および脱イオン（ＤＩ）水で２倍および４倍に希釈することにより、評価した。２つの血清試料には、ＤＨＴの次の濃度：９２．４ｎｇ／ｄＬ、６４．１ｎｇ／ｄＬを混合した。次いで、混合した血清を上記のマトリックスで２×および４×に希釈し、分析した。この試験は、全３種のマトリックスが、線形範囲を超える被検物質の値の試料を希釈するために使用できることを示した。この試験の結果を表４に示す。
【００９７】
【表４】
2015143699.tif 000006
【実施例８】
【００９８】
回収試験
品質管理（ＱＣ）試料を回収試験のために用いた。低量、中量および高量のＱＣ試料は、それぞれ濃度１１２．５、１３７．５および１７５ｎｇ／ｄＬにＤＨＴを混合した。
【００９９】
混合したＤＨＴ試料の回収試験を行った（各濃度で５回のアッセイ）。絶対回収率は、プール試料中に検出したＤＨＴ濃度を試料中の予想ＤＨＴ濃度で割ることにより、計算した。平均回収率は、それぞれ８９．０１％、９０．１５％および９４．９３％であった。全ての回収率は、許容された、即ち、８０％〜１２０％の範囲内にあった。
【実施例９】
【０１００】
標品試験
標品は、添加剤（血清用）のない試料採取管、血清分離管（ＳＳＴ）、ＥＤＴＡ管またはヘパリンナトリウム管に由来していた（試料３６点、１８点が男性から、１８点が女性から）。男性４点および女性１点のＥＤＴＡ試料、ならびに女性１点のヘパリン試料は、肉眼で溶血または脂肪血のいずれかであったため、分析に不適切として除外した。残りの試料は、様々な試料タイプに対する本方法の適用性を調べるために試験した。データ解析の結果、様々な試料タイプで検出されるＤＨＴレベル間に殆ど差がないことが判明した（表５および６を参照）。
【０１０１】
【表５】
2015143699.tif 000007
【０１０２】
【表６】
2015143699.tif 000008
【実施例１０】
【０１０３】
ＨＴＬＣ−ＭＳ試験およびＲＩＡ試験の比較
参考のラジオイムノアッセイ（ＲＩＡ）法と共に本方法でアッセイした、報告可能範囲を包含する患者試料を用いて比較試験を行った。相関は、線形回帰（図３Ａに示す）およびデミング分析（図３Ｂに示す）により決定した。線形回帰分析の相関係数は、０．８８であった。
【０１０４】
本明細書で言及または引用した論文、特許および特許出願、ならびに他の全ての文書および電子的に利用可能な情報は、個々の各刊行物が、参照により組み込まれていることが具体的に個別に示されている場合と同程度に、その全体が参照により本明細書に組み込まれている。出願者らは、このような任意の論文、特許、特許出願、または他の物理的および電子的文書から、あらゆる資料および情報を本出願の中に物理的に組み込む権利を留保する。
【０１０５】
本明細書に例示的に記載した方法は、本明細書に具体的に開示していない任意の１つまたは複数の要素、１つまたは複数の制限のない状態で、適切に実施し得る。したがって、例えば「含む（comprising、including、containingなど）」という用語は、拡張的に無
制限に読み取られる。その上、本明細書で用いた用語および表現は、制限用語ではなく記述用語として用いており、このような用語および表現の使用において、示し、記述した特徴と同等のものまたはその部分を除外する意図はない。主張した本発明の範囲内で多様な改変をなし得ることは、認識している。したがって、本発明を好ましい実施形態および任意選択の特徴により具体的に開示してきたが、その中で具体化され、本明細書で開示した本発明の改変および変更は、当業者が採用し得るものであり、このような改変および変更は、本発明の範囲内にあると見なされることを理解されたい。
【０１０６】
本発明を、広範に、属レベルで本明細書で説明してきた。属レベルの開示内に入るより
狭い種および亜属のグループの各々も、本方法の一部をなす。これには、その属から任意の主題を削除する条件または否定的制限を付けた本方法の属レベルの記述も、削除される事項が本明細書に具体的に記載されているか否かに関わらず、含まれる。
【０１０７】
他の実施形態は、以下の特許請求の範囲に入る。それに加え、本方法の特徴または態様がマーカッシュ群によって記載されている場合、本発明が、当該マーカッシュ群の任意個別の構成事項または構成事項亜群によってもその結果記載されることは、当業者であれば認識するであろう。
【図１】
2015143699.tif 000009
【図２】
2015143699.tif 000010
【図３】
2015143699.tif 000011
【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
体液試料中のジヒドロテストステロン（ＤＨＴ）の量を決定する方法であって、
（ａ）質量分析で検出可能な１種または複数のイオンを生成するのに適切な条件下で、体液試料からのＤＨＴをイオン化する、
（ｂ）１種または複数のイオンの量を質量分析により決定する、
（ｃ）決定された１種または複数のイオンの量を内部標準と比較して体液試料中のＤＨＴの量を決定する、
の各工程を含む方法。
【請求項２】
ＤＨＴが非誘導体化ＤＨＴである、請求項１記載の方法。
【請求項３】
イオン化の前に、大気圧化学イオン化（ＡＰＣＩ）、固相抽出（ＳＰＥ）、高乱流液体クロマトグラフィー（ＨＴＬＣ）及び高速液体クロマトグラフィー（ＨＰＬＣ）の少なくとも１つを用いてＤＨＴを精製する工程をさらに含む、請求項１記載の方法。
【請求項４】
（ａ）におけるイオン化が、質量／電荷比２９１．１０±０．５０の前駆イオンを生成し、質量／電荷比２５５．２０±０．５０及び７９．２０±０．５０のイオンからなる群より選択される１種または複数のフラグメントイオンを生成することをさらに含む、請求項１記載の方法。
【請求項５】
（ｃ）において質量分析により決定される１種または複数のイオンが、質量／電荷比２９１．１０±０．５０、２５５．２０±０．５０及び７９．２０±０．５０のイオンからなる群より選択される、請求項１記載の方法。
【請求項６】
内部標準が同位体で標識されたステロイドを含む、請求項１記載の方法。
【請求項７】
内部標準が１６，１６，１７−ｄ3ジヒドロテストステロン（１６，１６，１７−ｄ3ＤＨＴ）を含む、請求項１記載の方法。
【請求項８】
内部標準をイオン化して１種または複数の標準イオンを生成し、１種または複数の標準イオンを用いて標準曲線を生成することをさらに含む、請求項１記載の方法。
【請求項９】
内部標準をイオン化して質量／電荷比２９４．１０±０．５０の１種または複数の標準前駆イオンを生成し、質量／電荷比２５８．２０±０．５０の１種または複数の標準フラグメントイオンを生成することをさらに含む、請求項１記載の方法。
【請求項１０】
５．０ｎｇ／ｄＬ以上２００ｎｇ／ｄＬ以下の範囲内に定量限界を有する、請求項１記載の方法。
【請求項１１】
体液試料中のジヒドロテストステロン（ＤＨＴ）の量を決定するためのキットであって、
ＤＨＴの内部標準としての、１種または複数の同位体で標識されたアナログと、
包装材と、
ＤＨＴ量を決定するための使用説明書と、を含むキット。
【請求項１２】
内部標準が１種または複数の同位体で標識されたステロイドを含む、請求項１１記載のキット。
【請求項１３】
内部標準が１６，１６，１７−ｄ3ジヒドロテストステロン（１６，１６，１７−ｄ3ＤＨＴ）を含む、請求項１１記載のキット。
【請求項１４】
体液試料が血漿及び血清の少なくとも一つを含む、請求項１１記載のキット。
【請求項１５】
ＤＨＴが非誘導体化ＤＨＴである、請求項１１記載のキット。
【請求項１６】
体液試料中のジヒドロテストステロン（ＤＨＴ）の量を決定する方法であって、
（ａ）質量分析で検出可能な１種または複数のイオンを生成するのに適切な条件下で、体液試料からのＤＨＴを精製しイオン化する、
（ｂ）１種または複数のイオンの量を質量分析により決定する、
（ｃ）決定された１種または複数のイオンの量を、同位体で標識されたステロイドを含む内部標準と比較して体液試料中のＤＨＴの量を決定する、
の各工程を含む方法。
【請求項１７】
ＤＨＴが非誘導体化ＤＨＴである、請求項１６記載の方法。
【請求項１８】
内部標準が１６，１６，１７−ｄ3ジヒドロテストステロン（１６，１６，１７−ｄ3ＤＨＴ）を含む、請求項１６記載の方法。
【請求項１９】
質量分析がタンデム質量分析である、請求項１６に記載の方法。
【請求項２０】
内部標準をイオン化して質量／電荷比２９４．１０±０．５０の１種または複数の標準前駆イオンを生成し、質量／電荷比２５８．２０±０．５０の１種または複数の標準フラグメントイオンを生成することをさらに含む、請求項１６記載の方法。